(57)【要約】【課題】  長尺の被処理材をウォーキングビームにより長尺方向と交差する方向に搬送させて加熱処理する際に、この被処理材が湾曲しても、湾曲した被処理材が適切に搬送されて、湾曲した被処理材が適切に矯正されるようにする。【解決手段】  加熱炉10内に導入された長尺の被処理材Wを、ウォーキングビーム30により導入部から導出部に向けて固定ビーム20の上を順々に搬送させるにあたり、少なくとも前記のウォーキングビームに被処理材を保持させる凹部32を設け、被処理材を加熱させる導入部側における凹部32aの搬送方向の幅を広くすると共に、加熱された被処理材全体を均一な温度に加熱して保持させる導出部側における凹部32bを波形溝状にした。【選択図】  図３
2014005957.tif 000002
【特許請求の範囲】
【請求項１】
加熱炉内に導入された被処理材を保持する固定ビームが炉長方向に沿って設けられると共に、前記の被処理材を導入部から導出部に向けて固定ビームの上を順々に搬送させるウォーキングビームが炉長方向に沿って設けられたウォーキングビーム式加熱炉において、長尺の被処理材を搬送方向と交差する方向に配置させた状態で前記のウォーキングビームによって搬送させるにあたり、少なくとも前記のウォーキングビームに前記の被処理材を保持させる凹部を設け、加熱炉内に導入された被処理材を加熱させる導入部側のウォーキングビームに設ける凹部の搬送方向の幅を広くすると共に、加熱された被処理材全体を均一な温度に加熱して保持させる導出部側のウォーキングビームに設ける凹部を波形溝状にしたことを特徴とするウォーキングビーム式加熱炉。
【請求項２】
請求項１に記載のウォーキングビーム式加熱炉において、前記の被処理材が長尺の筒状部材であることを特徴とするウォーキングビーム式加熱炉。
【請求項３】
請求項１又は請求項２に記載のウォーキングビーム式加熱炉において、前記の導入部側のウォーキングビームに設ける凹部の搬送方向の幅を、前記の導出部側のウォーキングビームに設ける凹部の搬送方向の幅よりも大きくしたことを特徴とするウォーキングビーム式加熱炉。
【請求項４】
請求項１〜請求項３の何れか１項に記載のウォーキングビーム式加熱炉において、前記の導入部側のウォーキングビームに設ける凹部の底部を平坦状にしたことを特徴とするウォーキングビーム式加熱炉。
【請求項５】
請求項１〜請求項４の何れか１項に記載のウォーキングビーム式加熱炉において、前記の導出部側のウォーキングビームに設ける波形溝状の凹部をＶ溝状に形成したことを特徴とするウォーキングビーム式加熱炉。
【請求項６】
請求項１〜請求項５の何れか１項に記載のウォーキングビーム式加熱炉において、前記の導出部側に位置するウォーキングビームに設ける凹部間のピッチを、前記の導入部側に位置するウォーキングビームに設ける凹部間のピッチよりも小さくすると共に、導出部側に位置するウォーキングビームが被処理材の搬送方向に往復移動する距離を、導入部側に位置するウォーキングビームが被処理材の搬送方向に往復移動する距離よりも小さくしたことを特徴とするウォーキングビーム式加熱炉。
【請求項７】
請求項１〜請求項６の何れか１項に記載のウォーキングビーム式加熱炉において、前記の固定ビームに前記の被処理材を保持させる凹部を設け、加熱炉内に導入された被処理材を加熱させる導入部側の固定ビームに設ける凹部と、加熱された被処理材全体を均一な温度に加熱して保持させる導出部側の固定ビームに設ける凹部とを、前記のウォーキングビームに設ける凹部に対応させたことを特徴とするウォーキングビーム式加熱炉。
【発明の詳細な説明】
【技術分野】
【０００１】
本発明は、加熱炉内に導入された被処理材を保持する固定ビームが炉長方向に沿って設けられると共に、前記の被処理材を導入部から導出部に向けて固定ビームの上を順々に搬送させるウォーキングビームが炉長方向に沿って設けられたウォーキングビーム式加熱炉に関するものである。特に、鋼管等の長尺の被処理材を長尺方向と交差する方向に前記のウォーキングビームによって搬送させるにあたり、加熱炉内に導入された被処理材を加熱させる導入部側の部分において長尺の被処理材が湾曲した場合にも、湾曲した被処理材相互が衝突したり、重なり合ったりすることなく、長尺の被処理材がウォーキングビームによって導出部側に適切に搬送されると共に、加熱された被処理材全体を均一な温度に加熱して保持させる導出部側の部分において、湾曲した被処理材が適切に矯正されるようにした点に特徴を有するものである。
【背景技術】
【０００２】
従来から、各種の被処理材を加熱炉内において順々に搬送させて連続的に加熱処理することが行われており、このような加熱炉としては、固定ビームの上に保持された被処理材を、ウォーキング動作を行うウォーキングビームにより順々に搬送させて加熱処理するウォーキングビーム式加熱炉が広く利用されている。
【０００３】
そして、このようなウォーキングビーム式加熱炉においては、一般に、導入部側における加熱帯において導入された被処理材を加熱させると共に、導出部側における均熱帯において、加熱された被処理材全体を均一な温度に加熱して保持させるようにしている。
【０００４】
ここで、このようなウォーキングビーム式加熱炉において、長尺の被処理材を搬送方向と交差する方向に配置させた状態で固定ビームの上に保持させ、この被処理材をウォーキングビームによって搬送させて加熱処理するにあたっては、一般に、固定ビームとウォーキングビームとにそれぞれ同一溝深さでかつ同一ピッチの波形溝状になった凹部を搬送方向に沿って設け、前記のウォーキングビームをウォーキング動作させて、この被処理材を加熱させながら固定ビームの凹部内に保持された被処理材を、固定ビームにおける搬送方向下流側の凹部に順々に移動させるようにしている。
【０００５】
しかし、このように長尺の被処理材をウォーキングビームによって搬送させて加熱処理する場合、導入部側の加熱帯における燃焼部の近くの位置と離れた位置等において加熱温度に差が生じ、長尺の被処理材が均一に加熱されず、この長尺の被処理材が長尺方向と交差する方向に反るようにして湾曲する。具体的には、導入部は、被処理材を加熱炉内に導入する時に扉が開いて外気が流入するので、加熱帯では被処理材の搬送方向上流側（導入側）は、下流側（燃焼部が存在する側）よりも温度が低い。そのため、被処理材の搬送方向下流側の面の方が、上流側の面よりも温度が高くなって熱による延びが大きくなり、被処理材に湾曲が生じるようになる。特に、長尺の被処理材が鋼管等の長尺で、径が小さく、肉厚の薄い筒状部材の場合には、加熱温度差による湾曲が大きくなり、異なる凹部内における被処理材相互が衝突したり、重なり合ったりして、被処理材が適切に搬送されなくなり、被処理材を適切に加熱処理することができなくなるという問題があった。
【０００６】
このため、特許文献１においては、固定ビームとウォーキングビームとの少なくとも一方において、円形断面材料の被処理材が載置される載置面の一部に、この被処理材が自重で転がり落ちて所定角度だけ回転するための斜面を形成し、固定ビームの凹部のピッチとウォーキングビームの駆動ピッチを異ならせることにより、前記のようにウォーキングビームによりこの被処理材を搬送させて加熱処理する間に、この斜面において被処理材を回転させて、被処理材が均一に加熱されるようにし、被処理材が長尺方向と交差する方向に反るようにして湾曲するのを抑制することが提案されている。
【０００７】
しかし、このように円形断面材料の被処理材が載置される載置面の一部に、この被処理材が自重で転がり落ちて所定角度だけ回転するための斜面を形成した場合においても、被処理材を導入した当初に大きく湾曲すると、被処理材がうまく回転されず、導入部側の加熱帯において被処理材が湾曲するのを十分に抑制することができず、依然として、被処理材相互が衝突したり、重なり合ったりして、被処理材が適切に搬送されなくなり、被処理材を適切に加熱処理することができなくなるという問題があった。また、被処理材を回転させて被処理材が湾曲するのを抑制するためには、前記の載置面に設ける斜面を長くすることが必要になり、被処理材を加熱炉内において十分に加熱させて、均一に加熱処理するためには、加熱炉の長さを大きくしなければならなくなる等の問題があった。
【０００８】
また、特許文献２においては、ローラコンベアによって鋼管からなる被処理材を搬送させて加熱処理するにあたり、搬送される鋼管における湾曲状態を検知し、湾曲の大きな鋼管を排除することが提案されている。
【０００９】
しかし、この特許文献２に示されるものにおいては、湾曲した被処理材を搬送させる際に、被処理材相互が衝突したり、重なり合ったりするのを防止することができず、また湾曲の大きな鋼管を排除するため、被処理材の無駄が多くなる等の問題があった。
【先行技術文献】
【特許文献】
【００１０】
【特許文献１】特開２０００−１７３２５号公報
【特許文献２】特開昭６０−２３６００７号公報
【発明の開示】
【発明が解決しようとする課題】
【００１１】
本発明は、加熱炉内に導入された被処理材を保持する固定ビームが炉長方向に沿って設けられると共に、前記の被処理材を導入部から導出部に向けて固定ビームの上を順々に搬送させるウォーキングビームが炉長方向に沿って設けられたウォーキングビーム式加熱炉において、鋼管等の長尺の被処理材を搬送方向と交差する方向に配置させた状態で、この被処理材をウォーキングビームにより搬送させて加熱処理する場合における前記のような問題を解決することを課題とするものである。
【００１２】
すなわち、本発明においては、前記のように鋼管等の長尺の被処理材を長尺方向と交差する方向にウォーキングビームによって搬送させるにあたり、加熱炉内に導入された被処理材を加熱させる導入部側の部分において長尺の被処理材が湾曲した場合にも、湾曲した被処理材相互が衝突したり、重なり合ったりすることなく、長尺の被処理材がウォーキングビームによって導出部側に適切に搬送されると共に、加熱された被処理材全体を均一な温度に加熱して保持させる導出部側の部分において、湾曲した被処理材が適切に矯正されるようにすることを課題とするものである。
【課題を解決するための手段】
【００１３】
本発明においては、前記のような課題を解決するため、加熱炉内に導入された被処理材を保持する固定ビームが炉長方向に沿って設けられると共に、前記の被処理材を導入部から導出部に向けて固定ビームの上を順々に搬送させるウォーキングビームが炉長方向に沿って設けられたウォーキングビーム式加熱炉において、長尺の被処理材を長尺方向と交差する方向に前記のウォーキングビームによって搬送させるにあたり、少なくとも前記のウォーキングビームに前記の被処理材を保持させる凹部を設け、加熱炉内に導入された被処理材を加熱させる導入部側のウォーキングビームに設ける凹部の搬送方向の幅を広くすると共に、加熱された被処理材全体を均一な温度に加熱して保持させる導出部側のウォーキングビームに設ける凹部を波形溝状にした。
【００１４】
このように、加熱炉内に導入された被処理材を加熱させる導入部側のウォーキングビームに設ける凹部の搬送方向の幅を広くすると、導入部側の部分において前記の長尺の被処理材が大きく湾曲した場合にも、被処理材が殆ど転がることがなく、異なる凹部内における被処理材相互が衝突したり、重なり合ったりすることなく、長尺の被処理材がウォーキングビームによって導出部側に適切に搬送されるようになる。そして、このように被処理材を殆ど転がすことなく、加熱炉内において順々に搬送させると、被処理材の搬送方向上流側の面も加熱されて温度が上昇し、これにより被処理材の搬送方向上流側の面も熱により次第に延び、被処理材における湾曲が次第に改善される。
【００１５】
そして、この被処理材が導出部側に導かれると、この導出部側のウォーキングビームに設けられた波形溝状の凹部内において湾曲がある程度改善された被処理材が転がりながら搬送され、この導出部側の部分において被処理材全体が均一な温度に加熱されて保持され、この被処理材における湾曲が、この導出部側の部分においてさらに適切に矯正されるようになる。
【００１６】
ここで、前記の被処理材としては、例えば、鋼管のような長尺の筒状部材や、長尺の棒状部材等が用いられるが、特に、本発明のウォーキングビーム式加熱炉においては、導入部側における偏った加熱によって湾曲しやすい鋼管のような長尺で、径が小さく、肉厚の薄い筒状部材からなる被処理材を加熱処理する場合に適している。
【００１７】
また、前記のように加熱炉内に導入された被処理材を加熱させる導入部側において、搬送方向の幅が広くなったウォーキングビームの凹部に、前記の被処理材を保持させて搬送させるにあたり、この凹部に保持された被処理材が回転して、隣接する凹部に保持された他の被処理材と衝突したりするのを防止するため、搬送方向の幅が広くなった導入部側におけるウォーキングビームの凹部の底部を平坦状にすることが好ましい。
【００１８】
一方、加熱された被処理材全体を均一な温度に加熱して保持させる導出部側において、前記のようにウォーキングビームに波形溝状の凹部を設けるにあたり、この凹部をＶ溝状に形成すると、前記の被処理材がＶ溝状になった底部の両側の部分に接触するようになり、被処理材が凹部と接触してスケールが生じた場合にも、このスケールがＶ溝状の底部に導かれて、被処理材に付着するのが抑制されるようになる。
【００１９】
そして、前記のウォーキングビーム式加熱炉においては、前記のウォーキングビームを導入部側のウォーキングビームと導出部側のウォーキングビームとに分離させ、導出部側のウォーキングビームに設ける凹部間のピッチを、導入部側のウォーキングビームに設ける凹部間のピッチよりも小さくすると共に、導出部側におけるウォーキングビームが被処理材の搬送方向に往復移動する距離を、導入部側のウォーキングビームが被処理材の搬送方向に往復移動する距離よりも小さくすることが好ましい。このようにすると、被処理材を加熱させる導入部側においては、長尺の被処理材がウォーキングビームにおけるピッチの離れた凹部に順々に保持されて送られ、長尺の被処理材が大きく湾曲した場合にも、湾曲した被処理材相互が衝突したり、重なり合ったりするのが一層抑制されるようになる。また、被処理材全体を均一な温度に加熱させて保持させる導出部側においては、前記の被処理材がピッチの小さくなったウォーキングビームの凹部に保持されて徐々に送られるようになり、導出部側の長さを長くしなくても、導出部側の部分において、前記の被処理材全体が均一な温度に加熱されて十分に保持されるようになり、湾曲していた被処理材がこの導出部側において適切に矯正されるようになる。
【００２０】
また、前記のウォーキングビーム式加熱炉においては、前記のようなウォーキングビームにより、前記の被処理材を導入部から導出部に向けて固定ビームの上を順々に搬送させるにあたり、前記の被処理材が固定ビームの上で勝手に転がって、被処理材相互が衝突したり、重なり合ったりするのを抑制するため、固定ビームにも前記の被処理材を保持させる凹部を設けるようにすることが好ましい。
【００２１】
そして、このように固定ビームに前記の被処理材を保持させる凹部を設けるにあたっては、加熱炉内に導入された被処理材を加熱させる導入部側において、固定ビームの上に保持された被処理材が回転して、隣接する他の被処理材と衝突したりするのを防止すると共に、前記のウォーキングビームによって導出部側の固定ビームの上に導かれた被処理材が固定ビームに設けられた凹部内において転がり、この導出部側の部分において湾曲した被処理材全体が均一な温度に加熱されて保持されるようにするため、加熱炉内に導入された被処理材を加熱させる導入部側の固定ビームに設ける凹部と、加熱された被処理材全体を均一な温度に加熱して保持させる導出部側の固定ビームに設ける凹部とを、前記のウォーキングビームに設ける凹部に対応させることが好ましい。
【発明の効果】
【００２２】
本発明におけるウォーキングビーム式加熱炉においては、前記のように長尺の被処理材を長尺方向と交差する方向にウォーキングビームによって搬送させるにあたり、加熱炉内に導入された被処理材を加熱させる導入部側のウォーキングビームに設ける凹部の搬送方向の幅を広くしたため、導入部側の部分において前記の長尺の被処理材が大きく湾曲した場合にも、湾曲した被処理材相互が衝突したり、重なり合ったりすることなく、長尺の被処理材がウォーキングビームによって導出部側に適切に搬送されるようになる。
【００２３】
そして、このように湾曲した被処理材が導出部側に導かれると、この導出部側のウォーキングビームに設けられた波形溝状の凹部内において前記の被処理材が転がり、この導出部側の部分において湾曲した被処理材全体が均一な温度に加熱されて保持され、この被処理材における湾曲が、この導出部側の部分において適切に矯正されるようになる。
【００２４】
この結果、本発明におけるウォーキングビーム式加熱炉を使用すると、鋼管等の長尺の被処理材を長尺方向と交差する方向にウォーキングビームにより搬送させて加熱処理するにあたり、被処理材を加熱させる導入部側において長尺の被処理材が湾曲した場合にも、湾曲した被処理材相互が衝突したり、重なり合ったりすることなく、長尺の被処理材が適切に導出部側の部分に搬送されると共に、この導出部側の部分において湾曲した被処理材が適切に矯正され、長尺の被処理材を適切に加熱処理できるようになる。
【図面の簡単な説明】
【００２５】
【図１】本発明の一実施形態に係るウォーキングビーム式加熱炉の長手方向に沿った概略横断面説明図である。
【図２】上記の実施形態に係るウォーキングビーム式加熱炉の幅方向に沿った概略縦断面説明図である。
【図３】上記の実施形態におけるウォーキングビーム式加熱炉において、ウォーキングビームを、導入部側のウォーキングビームと導出部側のウォーキングビームとに分離させ、導入部側のウォーキングビームと導出部側のウォーキングビームに設ける凹部の形状を異ならせた状態を示した部分説明図である。
【図４】上記の実施形態に係るウォーキングビーム式加熱炉において、固定ビームの導入部側と導出部側とに設ける凹部の形状を異ならせた状態を示した部分説明図である。
【図５】上記の実施形態に係るウォーキングビーム式加熱炉において、ウォーキングビームにより長尺の筒状部材からなる被処理材を加熱炉の導入部側から導出部側に搬送させる状態を示した部分説明図である。
【図６】上記の実施形態に係るウォーキングビーム式加熱炉における固定ビームにおいて、搬送方向の幅が広く底部が平坦状になった導入部側の凹部に隣接するＶ溝状の波形溝状になった導出部側の凹部における上流側の傾斜を長くした状態を示した部分説明図である。
【図７】上記の実施形態に係るウォーキングビーム式加熱炉の変更例を示し、ウォーキングビームを分離させずに、ウォーキングビームの導入部側と導出部側とにおける凹部間のピッチを同じにし、導入部側と導出部側とにおける凹部の形状だけを変更させた状態を示した部分説明図である。
【図８】上記の変更例におけるウォーキングビーム式加熱炉において、固定ビームの導入部側と導出部側とにおける凹部間のピッチを同じにし、導入部側と導出部側とにおける凹部の形状だけを変更させた状態を示した部分説明図である。
【発明を実施するための最良の形態】
【００２６】
以下、この発明の実施形態に係るウォーキングビーム式加熱炉を添付図面に基づいて具体的に説明する。なお、この発明に係るウォーキングビーム式加熱炉は下記の実施形態に示したものに限定されず、発明の要旨を変更しない範囲において、適宜変更して実施できるものである。
【００２７】
この実施形態のウォーキングビーム式加熱炉においては、図１に示すように、加熱炉１０の側壁１１の炉長方向一端側に、鋼管等の長尺の筒状部材からなる被処理材Ｗを加熱炉１０内に導入させる導入口１２が設けられると共に、炉長方向他端側に、加熱処理された前記の被処理材Ｗを加熱炉１０内から取り出す導出口１３が設けられ、前記の導入口１２と導出口１３とにそれぞれ開閉扉１２ａ，１３ａが設けられている。
【００２８】
そして、前記の導入口１２を通して前記の被処理材Ｗをその長手方向に沿って加熱炉１０内に導入させる部分に搬入用ローラ１４が設けられると共に、前記の導出口１３を通して加熱処理された被処理材Ｗをその長手方向に沿って加熱炉１０内から導出させる部分に搬出用ローラ１５が設けられている。
【００２９】
また、この加熱炉１０内においては、図１及び図２に示すように、被処理材Ｗの搬送方向である炉長方向に沿った固定ビーム２０が、炉床１６の上に立設された固定用支柱２１の上に取り付けられ、この固定ビーム２０が炉幅方向に所要間隔を介して複数並設されると共に、被処理材Ｗの搬送方向に沿ったウォーキングビーム３０が、炉床１６の下に設けられたウォーキングビーム駆動手段４０から炉床１６の上に突出された駆動用支柱３１の上に取り付けられ、このウォーキングビーム３０が炉幅方向に所要間隔を介して複数並設されている。
【００３０】
そして、前記の各ウォーキングビーム３０をウォーキングビーム駆動手段４０によりウォーキング動作させ、すなわちウォーキングビーム３０を上下方向と被処理材Ｗの搬送方向とに往復移動させて、加熱炉１０内に導かれた前記の被処理材Ｗを、前記の導入口１２側の導入部から前記の導出口１３側の導出部に向けて固定ビーム２０の上を順々に移動させるようにしている。
【００３１】
ここで、鋼管等の長尺の筒状部材からなる被処理材Ｗを、前記のウォーキングビーム３０によって固定ビーム２０の上を順々に移動させるにあたり、前記の固定ビーム２０とウォーキングビーム３０とにそれぞれ前記の被処理材Ｗを保持させる凹部２２，３２を被処理材Ｗの搬送方向に沿って設けるようにすると共に、この実施形態においては、図１及び図３に示すように、前記のウォーキングビーム３０を、加熱炉１０内に導入された被処理材を加熱させる導入部側のウォーキングビーム３０ａと、加熱された被処理材全体を均一な温度に加熱して保持させる導出部側のウォーキングビーム３０ｂに分離させている。
【００３２】
そして、被処理材Ｗを加熱させる導入部側のウォーキングビーム３０ａにおいては、搬送方向の幅が広く底部が平坦状になった凹部３２ａを設ける一方、加熱された被処理材Ｗ全体を均一な温度に加熱して保持させる導出部側のウォーキングビーム３０ｂにおいては、Ｖ溝状の波形溝状になった凹部３２ｂを設け、前記の導入部側のウォーキングビーム３０ａにおける凹部３２ａ間のピッチｐａを、導出部側のウォーキングビーム３０における凹部３２ｂ間のピッチｐｂよりも大きくしている。
【００３３】
また、図１及び図４に示すように、前記の固定ビーム２０においても、被処理材Ｗを加熱させる導入部側の部分においては、前記の導入部側のウォーキングビーム３０ａと同様に、搬送方向の幅が広く底部が平坦状になった凹部２２ａを設ける一方、加熱された被処理材Ｗ全体を均一な温度に加熱して保持させる導出部側の部分においては、前記の導出部側のウォーキングビーム３０と同様に、Ｖ溝状の波形溝状になった凹部２２ｂを設け、導入部側の固定ビーム２０における凹部２２ａ間のピッチｐａを、導出部側の固定ビーム２０における凹部２２ｂ間のピッチｐｂよりも大きくしている。
【００３４】
また、ウォーキングビーム３０をウォーキング動作させるウォーキングビーム駆動手段４０を、導入部側のウォーキングビーム３０ａと導出部側のウォーキングビーム３０ｂとで異ならせ、導入部側のウォーキングビーム３０ａを第１のウォーキングビーム駆動手段４０ａによってウォーキング動作させる一方、導出部側のウォーキングビーム３０ｂを第２のウォーキングビーム駆動手段４０ｂによってウォーキング動作させるようにしている。
【００３５】
そして、第１のウォーキングビーム駆動手段４０ａによって導入部側のウォーキングビーム３０ａを被処理材Ｗの搬送方向に往復移動させる距離を、前記の第２のウォーキングビーム駆動手段４０ｂによって導出部側のウォーキングビーム３０ｂを被処理材Ｗの搬送方向に往復移動させる距離よりも大きくし、導入部側のウォーキングビーム３０ａの凹部３２ａ内における被処理材Ｗが、固定ビーム２０の導入部側の部分における凹部２２ａ内に順々に適切に導かれるようにすると共に、導出部側のウォーキングビーム３０ｂの凹部３２ｂ内における被処理材Ｗが、固定ビーム２０の導出部側の部分における凹部２２ｂ内に順々に適切に導かれるようにしている。
【００３６】
このようにして、導入口１２から加熱炉１０内に導入された鋼管等の長尺の筒状部材からなる被処理材Ｗをその長尺方向と交差する方向に、前記の導入部側のウォーキングビーム３０ａと導出部側のウォーキングビーム３０ｂとによって固定ビーム２０の上を順々に移動させるようにした場合、図５に示すように、加熱炉１０の導入部側における加熱温度の差によって、導入部側において前記の被処理材Ｗがその長尺方向と交差する方向に大きく湾曲しても、湾曲した被処理材Ｗが、搬送方向の幅が広く底部が平坦状になった導入部側のウォーキングビーム３０ａにおける凹部３２ａ内や導入部側における固定ビーム２０の凹部２２ａ内に適切に保持され、湾曲した被処理材Ｗが隣の凹部２２ａにはみ出して、湾曲した被処理材Ｗ相互が衝突したり、重なり合ったりすることなく、前記の被処理材Ｗが導出部側に適切に搬送されるようになる。また、このように湾曲した被処理材Ｗが導出部側に搬送される途中において、前記の被処理材Ｗ全体が次第に加熱されて、被処理材Ｗにおける湾曲が次第に減少する。
【００３７】
そして、このように湾曲が減少した被処理材Ｗを、導出部側のウォーキングビーム３０ｂにより導出部側の部分における固定ビーム２０の上を順々に移動させると、前記の被処理材Ｗが、前記の第２のウォーキングビーム駆動手段４０ｂにより、ピッチが狭くなった導出部側のウォーキングビーム３０ｂの凹部３２ｂと導出部側における固定ビーム２０の凹部２２ｂとによって少しずつ搬送されるようになると共に、Ｖ溝状の波形溝状になった導出部側のウォーキングビーム３０ｂの凹部３２ｂ内や導出部側における固定ビーム２０の凹部２２ｂ内において、前記の被処理材Ｗが徐々に回転して、被処理材Ｗ全体が均一に加熱され、被処理材Ｗにおける湾曲が適切に矯正されて適切に加熱処理されるようになり、加熱処理された被処理材Ｗが真っ直ぐになった状態で、前記の導出口１３から取り出すことができるようになる。
【００３８】
また、前記の実施形態において、搬送方向の幅が広く底部が平坦状になった導入部側のウォーキングビーム３０ａの凹部３２ａ内に保持された被処理材Ｗが、Ｖ溝状の波形溝状になった導出部側の固定ビーム２０の凹部２２ｂ内に適切に導かれるようにするため、図６に示すように、搬送方向の幅が広く底部が平坦状になった導入部側の固定ビーム２０の凹部２２ａと隣接するＶ溝状の波形溝状になった導出部側の固定ビーム２０の凹部２２ｂにおける上流側の傾斜面Ａを長くすることが好ましい。
【００３９】
なお、前記の実施形態におけるウォーキングビーム式加熱炉においては、ウォーキングビーム３０を、導入部側のウォーキングビーム３０ａと導出部側のウォーキングビーム３０ｂとに分離させ、前記のように導入部側のウォーキングビーム３０ａにおける凹部３２ａ間のピッチｐａを、導出部側のウォーキングビーム３０ｂにおける凹部３２ｂ間のピッチｐｂよりも大きくしたが、図７に示すように、ウォーキングビーム３０を分離させずに、このウォーキングビーム３０に設ける導入部側と導出部側とにおける凹部３２ａ，３２ｂ間のピッチｐを同じにして、ウォーキングビーム３０の導入部側と導出部側とにおける凹部３２ａ，３２ｂの形状だけを変更させると共に、このウォーキングビーム３０を１つのウォーキングビーム駆動手段４０によってウォーキング動作させるようにすることもできる。また、この場合には、前記のウォーキングビーム３０に対応させて、図８に示すように、固定ビーム２０に設ける導入部側と導出部側とにおける凹部２２ａ，２２ｂ間のピッチｐを同じにして、この固定ビーム２０の導入部側と導出部側とにおける凹部２２ａ，２２ｂの形状だけを変更させるようにする。
【００４０】
このようにした場合、前記のように第１のウォーキングビーム駆動手段４０ａと第２のウォーキングビーム駆動手段４０ｂとを設けて、ウォーキングビーム３０を被処理材Ｗの搬送方向に往復移動させる距離を、導入部側のウォーキングビーム３０ａと導出部側のウォーキングビーム３０ｂとで異ならせる機構が必要なくなるため、ウォーキングビーム駆動手段４０を一つにまとめることができる。但し、このようにすると、加熱炉１０の導出部側においても被処理材Ｗが導入部側と同じ長いピッチで搬送されるため、被処理材Ｗを均一に加熱させる時間を確保するためには、加熱炉１０の導出部側の部分を長くする等の処置を行うことが好ましい。
【符号の説明】
【００４１】
１０  加熱炉
１１  側壁
１２  導入口、１２ａ  開閉扉
１３  導出口、１３ａ  開閉扉
１４  搬入用ローラ
１５  搬出用ローラ
１６  炉床
２０  固定ビーム
２１  固定用支柱
２２  凹部、２２ａ  導入部側の凹部、２２ｂ  導出部側の凹部、Ａ  傾斜面
３０  ウォーキングビーム、３０ａ  導入部側のウォーキングビーム、３０ｂ  導出部側のウォーキングビーム
３１  駆動用支柱
３２  凹部、３２ａ  導入部側の凹部、３２ｂ  導出部側の凹部
４０  ウォーキングビーム駆動手段、４０ａ  第１のウォーキングビーム駆動手段、４０ｂ  第２のウォーキングビーム駆動手段
ｐ  凹部間のピッチ、ｐａ  導入部側の凹部間のピッチ、ｐｂ  導出部側の凹部間のピッチ
Ｗ  被処理材
【図１】
2014005957.tif 000003
【図２】
2014005957.tif 000004
【図３】
2014005957.tif 000005
【図４】
2014005957.tif 000006
【図５】
2014005957.tif 000007
【図６】
2014005957.tif 000008
【図７】
2014005957.tif 000009
【図８】
2014005957.tif 000010